(57)【特許請求の範囲】
【請求項１】
端末局からの受信信号に含まれる符号を用いて、当該端末局との間で空間多重方式で通信する無線基地局であって、
当該空間多重方式における最大多重数の相異なる符号と、当該符号の順位を示す番号と、当該符号が現に通信に使用されているか否かを示す情報とを対応付けて記憶している符号記憶手段と、
新規端末局が通信を開始した際に、当該新規端末局が、共通符号を含む信号を送信する第１種端末局であるか、当該無線基地局から通知された符号を含む信号を送信する第２種端末局であるかを判断する端末種別判断手段と、
当該新規端末局が第２種端末局であると判断された場合、前記情報により現に通信に使用されていないと示された最高順位の符号を、前記新規端末局に通知する符号通知手段とを備え、
当該符号記憶手段に記憶されている符号は、最低順位の符号を除いて何れも前記共通符号と異なっている
ことを特徴とする無線基地局。
【請求項２】
前記無線基地局は時分割多重方式を併用し、個々のタイムスロットにおいて、端末局との間で前記空間多重方式で通信し、さらに、
前記新規端末局との通信に利用すべきタイムスロットの候補から、そのタイムスロットにおいて前記共通符号を含む信号を送信している端末局の数が最も少ないタイムスロットを選択するタイムスロット選択手段と、
前記新規端末局が第１種端末局であると判断された場合、当該選択されたタイムスロットにおいて通信すべき旨を前記新規端末局に通知するタイムスロット通知手段と
を備えることを特徴とする請求項１に記載の無線基地局。
【請求項３】
前記無線基地局は時分割多重方式を併用し、個々のタイムスロットにおいて、端末局との間で前記空間多重方式で通信し、さらに、
前記新規端末局との通信に利用すべきタイムスロットの候補から、そのタイムスロットにおいて前記共通符号を含む信号を送信している端末局の数が最も多いタイムスロットを選択するタイムスロット選択手段と、
前記新規端末局が第２種端末局であると判断された場合、当該選択されたタイムスロットにおいて通信すべき旨を前記新規端末局に通知するタイムスロット通知手段と
を備え、
前記符号記憶手段は、前記最大多重数の相異なる符号と、当該符号の順位を示す番号と、当該符号が個々のタイムスロットにおける通信に現に使用されているか否かを示す情報とを対応付けて記憶しており、
前記符号通知手段は、前記新規端末局が第２種端末局であると判断された場合、前記情報により、前記通知したタイムスロットにおいて現に通信に使用されていないと示された最高順位の符号を、前記新規端末局に通知する
ことを特徴とする請求項１に記載の無線基地局。
【請求項４】
前記無線基地局は複数の搬送波を使用し、当該個々の搬送波によって、端末局との間で前記空間多重方式で通信し、さらに、
前記新規端末局との通信に利用すべき搬送波の候補から、その搬送波を用いて前記共通符号を含む信号を送信している端末局の数が最も少ない搬送波を選択する搬送波選択手段と、
前記新規端末局が第１種端末局であると判断された場合、当該選択された搬送波を用いて通信すべき旨を前記新規端末局に通知する搬送波通知手段と
を備えることを特徴とする請求項１に記載の無線基地局。
【請求項５】
前記無線基地局は複数の搬送波を使用し、当該個々の搬送波によって、端末局との間で前記空間多重方式で通信し、さらに、
前記新規端末局との通信に利用すべき搬送波の候補から、その搬送波によって前記共通符号を含む信号を送信している端末局の数が最も多い搬送波を選択する搬送波選択手段と、
前記新規端末局が第２種端末局であると判断された場合、当該識別された搬送波を用いて通信すべき旨を前記新規端末局に通知する搬送波選択手段と
を備え、
前記符号記憶手段は、前記最大多重数の相異なる符号と、当該符号の順位を示す番号と、当該符号が個々の搬送波による通信に現に使用されているか否かを示す情報とを対応付けて記憶しており、
前記符号通知手段は、前記新規端末局が第２種端末局であると判断された場合、前記情報により、前記通知した搬送波による通信に現に使用されていないと示された最高順位の符号を、前記新規端末局に通知する
ことを特徴とする請求項１に記載の無線基地局。
【請求項６】
端末局からの受信信号に含まれる符号を用いて、当該端末局との間で空間多重方式で通信する無線基地局における通信方法であって、
当該無線基地局は、当該空間多重方式における最大多重数の相異なる符号と、当該符号の順位を示す番号と、当該符号が現に通信に使用されているか否かを示す情報とを対応付けて記憶していて、当該記憶されている符号は、最低順位の符号を除いて何れも所定の共通符号と異なっており、
新規端末局が通信を開始した際に、当該新規端末局が、共通符号を含む信号を送信する第１種端末局であるか、当該無線基地局から通知された符号を含む信号を送信する第２種端末局であるかを判断する端末種別判断ステップと、
当該新規端末局が第２種端末局であると判断された場合、前記情報により現に通信に使用されていないと示された最高順位の符号を、前記新規端末局に通知する符号通知ステップと
を含むことを特徴とする通信方法。
【請求項７】
端末局からの受信信号に含まれる符号を用いて、当該端末局との間で空間多重方式で通信する無線基地局を、コンピュータを用いて制御するためのコンピュータ実行可能なプログラムであって、
当該無線基地局は、当該空間多重方式における最大多重数の相異なる符号と、当該符号の順位を示す番号と、当該符号が現に通信に使用されているか否かを示す情報とを対応付けて記憶していて、当該記憶されている符号は、最低順位の符号を除いて何れも所定の共通符号と異なっており、
新規端末局が通信を開始した際に、当該新規端末局が、共通符号を含む信号を送信する第１種端末局であるか、当該無線基地局から通知された符号を含む信号を送信する第２種端末局であるかを判断する端末種別判断ステップと、
当該新規端末局が第２種端末局であると判断された場合、前記情報により現に通信に使用されていないと示された最高順位の符号を、前記新規端末局に通知する符号通知ステップと
を当該コンピュータに実行させることを特徴とするプログラム。
【発明の詳細な説明】
【０００１】
【発明の属する技術分野】
本発明は、複数の端末局と空間多重方式を用いて通信する無線基地局、通信方法、及び当該無線基地局を実現するためのコンピュータプログラムに関し、特に、通信品質を向上させる技術に関する。
【０００２】
【従来の技術】
近年、携帯電話機、携帯型情報通信機器等を含む無線情報端末の増加に伴い、周波数資源の有効利用に対する社会的要請が高まっている。この要請に応える技術に、空間多重方式がある。
空間多重方式とは、無線基地局が、指向性を有するアンテナを用いて、同一周波数の搬送波で異なる方向に存在する複数の端末局と同時刻に通信を行う方式である。
【０００３】
この空間多重方式に用いられる指向性を有するアンテナとして、アダプティブアレイ装置がある。アダプティブアレイ装置は、固定的に設置された複数のアンテナ素子を備え、個々のアンテナ素子に対する送受信信号の振幅と位相とを動的に変化させることにより、アンテナ全体として、送信、受信のための指向性パターン（アレイアンテナパターンともいう）を形成するものである。
【０００４】
アダプティブアレイ装置は、指向性パターンの形成においては、所望の端末局の方向へ送信強度及び受信感度を高めるのみならず、空間多重している他の端末局の方向へ送信強度及び受信感度を低下させることをも行う。
アダプティブアレイ装置の原理及び作用については「アレーアンテナによる適応信号処理」（菊間信良著、科学技術出版刊）に詳細に記載されている。
【０００５】
空間多重方式を用いて通信する従来の無線基地局において、Ｎ個のアンテナ素子を備えるアダプティブアレイ装置を、最小二乗平均誤差（ＭＭＳＥ）方式を用いて制御して、受信時及び送信時の指向性パターンを形成する場合の制御内容について説明する。
受信時における指向性パターンの制御は、各アンテナ素子を通じて受信された信号の振幅と位相とをそれぞれ変化させた上で加算して得られる目的信号が、所望の端末局からの受信信号となるように、適切な変化量（ウェイトともいう）を見出す制御である。
【０００６】
図９は、当該制御の内容を示す概念図である。
［数１］  ｙ（ｔ）＝Ｗ（ｔ−１）×Ｘ（ｔ）＝ｗ1（ｔ−１）×ｘ1（ｔ）＋ｗ2（ｔ−１）×ｘ2（ｔ）＋・・・＋ｗN（ｔ−１）×ｘN（ｔ）
ここで、ｔは時刻、ｘ1（ｔ）、ｘ2（ｔ）、・・・、ｘN（ｔ）は各時刻において各アンテナ素子を通じて実際に得られた受信信号、ｗ1（ｔ−１）、ｗ2（ｔ−１）、・・・、ｗN（ｔ−１）は、各時刻において各アンテナ素子に対応するウェイトである。
【０００７】
当該受信信号及び当該ウェイトは何れも解析的表現（複素数）であり、両者の複素乗算は即ち、受信信号の振幅及び位相を変化させる操作を表している。当該時刻は、例えば、「第二世代コードレス電話システム標準規格ＳＴＤ−２８」（社団法人電波産業会発行）における１シンボルを受信する時間を単位としたタイムスロット内での経過時間であるとしてもよい。なお、当該規格を、以下「ＰＨＳ規格」と略称する。
【０００８】
Ｗ（ｔ）＝［ｗ1（ｔ），ｗ2（ｔ），・・・，ｗN（ｔ）］は、アンテナ毎の受信信号を要素とする受信信号ベクトル、Ｘ（ｔ）＝［ｘ1（ｔ），ｘ2（ｔ），・・・，ｘN（ｔ）］Tは、アンテナ毎のウェイトを要素とするウェイトベクトルであり、何れも複素ベクトルである。
目的信号ｙ（ｔ）は、数１に従って、各時刻における受信信号ベクトルと、直前の時刻におけるウェイトベクトルとを乗じることにより逐次算出される。
［数２］  ｅ（ｔ）＝ｄ（ｔ）−ｙ（ｔ）＝ｄ（ｔ）−Ｗ（ｔ−１）×Ｘ（ｔ）ここで、ｄ（ｔ）は、端末局から送られる送信信号のうち、予め信号内容が規定されている部分、例えばＰＨＳ規格に規定されるプリアンブルや同期用のユニークワード（ＵＷ：Ｕｎｉｑｕｅ  Ｗｏｒｄ）等の部分の信号（以下「参照信号」という）であり、ｅ（ｔ）は、前記算出された目的信号と当該参照信号との各時刻における誤差である。
【０００９】
ウェイトベクトルには所定の初期値が定められており、各時刻において、数２に従って算出される誤差が最小となるように、予め定められた範囲内で修正される。理論的には、時間経過と共に、ウェイトベクトルは一定値に収束するとともに、目的信号ｙ（ｔ）は、所望端末局が送信した信号となる。
参照信号を構成するプリアンブルやユニークワードは、通信内容である本体的データに先駆けて送られるため、通信内容である本体的データの受信時点において得られる目的信号は、所望端末局が送信した信号に近似する。
【００１０】
なお、通信が開始された後は、各タイムスロットにおけるウェイトベクトルの初期値として、例えば前回のタイムスロットにおいて最終的に得られた値を用いてもよい。
送信時における指向性パターンの制御は、所望端末局への送信信号を各アンテナ素子に分配し、その分配された信号に対し、受信時に得られた各アンテナ素子に対応する最終的なウェイトベクトルを掛け合せて得られた信号を、各アンテナ素子から同時に送信することを内容とする。これにより、当該所望端末局方向へ指向性が向き送信利得が得られるとともに、非所望端末局方向へ送信される干渉信号が低減される。
【００１１】
このように、空間多重方式を用いる従来の無線基地局は、受信時に、複数のアンテナ素子を通じて受信された信号とプリアンブルやユニークワード等の参照信号とに基づいてウェイトベクトルを調整しつつ所望端末局からの信号を分離抽出し、送信時にはそのウェイトベクトルを利用して当該所望端末局に指向性を向けることにより、混信を防ぎ通信品質を維持して各端末局との通信を行っている。
【００１２】
なお、上記説明した指向性パターンの制御では、何れの端末局も、ＰＨＳ規格に規定される共通のユニークワードを送信するため、稀に複数の端末局からの受信タイミングが完全に一致した場合、各端末局からの受信信号を取り違えることによって誤った指向性パターンが形成されるという問題がある。
この問題を回避するため、従来、個々の端末局が互いに異なる個別ユニークワードを送信する方式（以下「個別ＵＷ方式」という）が実施されている。
【００１３】
個別ＵＷ方式に従って通信する無線基地局は、端末局から、制御チャネルを使って通信開始を要求された際に、他の端末局に通知していない個別ユニークワードを、同じく制御チャネルを使って当該新規端末局に通知する。当該新規端末局は、通信チャネルにおいて当該通知されたユニークワードを送信する。
個別ＵＷ方式を採る無線基地局と端末局とが協働することにより、各端末局からの受信タイミングが完全に一致した場合の受信信号の取り違えが解消される。
【００１４】
【発明が解決しようとする課題】
しかしながら、現状では、個別ＵＷ方式の端末局と、ＰＨＳ規格に規定される共通のユニークワードを固定的に送信する共通ＵＷ方式の端末局とが並存して利用されているため、現実の無線基地局は、その双方の端末局と、空間多重方式を用いて通信する必要がある。
【００１５】
ところが、上記従来技術の個別ＵＷ方式を採る無線基地局は、個別ＵＷ方式の端末局（個別ＵＷ局とも略称する）と、共通ＵＷ方式の端末局（共通ＵＷ局とも略称する）とを並存して通信する場合に、指向性パターンを精度よく形成できない場合があるという問題がある。
一例として、従来の無線基地局は、空間多重方式を用いて通信する端末局の一つに、ＰＨＳ規格に規定される共通のユニークワードを通知することを妨げないので、当該ユニークワードを通知された個別ＵＷ局と、共通ＵＷ局との間で受信信号を取り違える問題がある。
【００１６】
また、他の例として、従来の無線基地局が、時分割多重方式を併用して、個々の時分割タイムスロットおいて空間多重方式を用いた通信を行う場合には、既に通信を行っている端末局数が最小のタイムスロットを新規端末局へ割り当てるが、そのようなタイムスロットが複数ある場合に、より多数の共通ＵＷ局が通信しているタイムスロットを、新たな共通ＵＷ局に割り当てることを妨げないので、複数の共通ＵＷ局の間で受信信号を取り違える問題を助長する。
【００１７】
その逆に、より少数の共通ＵＷ局が通信しているタイムスロットを、新たな個別ＵＷ局に割り当てることを妨げないので、その後に通信を開始する共通ＵＷ局にとって有利なタイムスロットを残しておくことができない。
上記の問題に鑑み、本発明は、空間多重方式を用いて、個別ＵＷ局と、共通ＵＷ局とを並存して通信する場合の指向性パターンの形成精度を向上し、もって通信精度を向上する無線基地局、及び当該無線基地局において用いられる通信方法の提供を目的とする。
【００１８】
【課題を解決するための手段】
上記問題を解決するため、本発明の無線基地局は、端末局からの受信信号に含まれる符号を用いて、当該端末局との間で空間多重方式で通信する無線基地局であって、当該空間多重方式における最大多重数の相異なる符号と、当該符号の順位を示す番号と、当該符号が現に通信に使用されているか否かを示す情報とを対応付けて記憶している符号記憶手段と、新規端末局が通信を開始した際に、当該新規端末局が、共通符号を含む信号を送信する第１種端末局であるか、当該無線基地局から通知された符号を含む信号を送信する第２種端末局であるかを判断する端末種別判断手段と、当該新規端末局が第２種端末局であると判断された場合、前記情報により現に通信に使用されていないと示された最高順位の符号を、前記新規端末局に通知する符号通知手段とを備え、当該符号記憶手段に記憶されている符号は、最低順位の符号を除いて何れも前記共通符号と異なっていることを特徴とする。
【００１９】
また、前記無線基地局は、時分割多重方式を併用し、個々のタイムスロットにおいて、端末局との間で前記空間多重方式で通信し、さらに、前記新規端末局との通信に利用すべきタイムスロットの候補から、そのタイムスロットにおいて前記共通符号を含む信号を送信している端末局の数が最も少ないタイムスロットを選択するタイムスロット選択手段と、前記新規端末局が第１種端末局であると判断された場合、当該選択されたタイムスロットにおいて通信すべき旨を前記新規端末局に通知するタイムスロット通知手段とを備えてもよい。
【００２０】
また、前記無線基地局は、時分割多重方式を併用し、個々のタイムスロットにおいて、端末局との間で前記空間多重方式で通信し、さらに、前記新規端末局との通信に利用すべきタイムスロットの候補から、そのタイムスロットにおいて前記共通符号を含む信号を送信している端末局の数が最も多いタイムスロットを選択するタイムスロット選択手段と、前記新規端末局が第２種端末局であると判断された場合、当該選択されたタイムスロットにおいて通信すべき旨を前記新規端末局に通知するタイムスロット通知手段とを備え、前記符号記憶手段は、前記最大多重数の相異なる符号と、当該符号の順位を示す番号と、当該符号が個々のタイムスロットにおける通信に現に使用されているか否かを示す情報とを対応付けて記憶しており、前記符号通知手段は、前記新規端末局が第２種端末局であると判断された場合、前記情報により、前記通知したタイムスロットにおいて現に通信に使用されていないと示された最高順位の符号を、前記新規端末局に通知してもよい。
【００２１】
【発明の実施の形態】
本実施の形態における無線基地局は、ＰＨＳ規格で定められた、複数周波数の搬送波の各々を用いて、時分割多重アクセス（ＴＤＭＡ／ＴＤＤ、Ｔｉｍｅ  Ｄｉｖｉｓｉｏｎ  Ｍｕｌｔｉｐｌｅ  Ａｃｃｅｓｓ／Ｔｉｍｅ  Ｄｉｖｉｓｉｏｎ  Ｄｕｐｌｅｘ）方式に加え、空間多重方式により、同一周波数で最大４つの信号を空間多重して、端末局と無線接続する無線基地局である。
【００２２】
本無線基地局は、特に、ＰＨＳ規格に規定される共通のユニークワードを送信する共通ＵＷ局と、無線基地局から指定されたユニークワードを送信する個別ＵＷ局との双方を混在して通信する。
＜全体構成＞
図１は、本実施の形態における無線基地局１００の全体構成を示すブロック図である。
【００２３】
無線基地局１００は、アンテナ１１〜１４、無線部２１〜２４、信号処理部５０、モデム部６０、ベースバンド部７０、制御部８０及びユニークワード記憶部９０を備える。
無線基地局１００は、ＰＨＳ規格に従って１つのＴＤＭＡ／ＴＤＤフレーム内に４つのチャネルを多重し、１チャネルにつき空間多重されるべき最大４つの通信回線の信号を並列に処理する。１つのＴＤＭＡ／ＴＤＤフレームは、５ｍＳの周期を有し、各周期を８等分して得られる４つの送信タイムスロットと４つの受信タイムスロットとから構成される。送信、受信各々１つのタイムスロットは時分割多重による１つの時分割チャネルを構成する。
【００２４】
ベースバンド部７０は、通信網を介して接続される複数の回線と信号処理部５０との間で複数の信号（音声又はデータのベースバンド信号）を授受する。
モデム部６０は、信号処理部５０とベースバンド部７０との間で、デジタル化されたベースバンド信号に対してπ／４シフトＱＰＳＫ（ＱｕａｄｒａｔｕｒｅＰｈａｓｅ  Ｓｈｉｆｔ  Ｋｅｙｉｎｇ）により変調及び復調を行う機能を有する。この変調及び復調は、１つの時分割チャネルにおいて空間多重される最大４つのＴＤＭＡ／ＴＤＤフレームについて並列に行われる。
【００２５】
信号処理部５０は、制御部８０の制御下で、指向性パターンの形成に関する制御、即ち、各無線部２１〜２４から入力される空間多重された各端末局からの受信信号を分離抽出しモデム部６０に出力し、また、モデム部６０から入力された送信信号を所望の端末局へ送信できるように空間多重する信号を生成して各無線部２１〜２４に出力する制御を行う部分であり、具体的には、プログラマブルなＤＳＰ（Ｄｉｇｉｔａｌ  Ｓｉｇｎａｌ  Ｐｒｏｃｅｓｓｏｒ）により実現される。
【００２６】
当該制御は、前記ＭＭＳＥ方式で行われ、具体的には、モデム部６０で並列に処理される最大４つのＴＤＭＡ／ＴＤＤフレーム内のタイムスロット毎に、次のように行われる。受信時には、各無線部２１〜２４が現に受信した信号に各無線部に対応するウェイトを乗じて加算することにより得られる受信信号と、参照信号との誤差を少なくするように各ウェイトを調整する。送信時には、直前の受信時に調整された無線部毎のウェイトを送信信号に乗じて得られる信号を、対応する無線部２１〜２４に分配する。
【００２７】
なお、空間多重方式を用いて、端末局毎の指向性パターンを形成して送受信を行うのは、通信チャネルでの通信のみであり、制御チャネルでの通信については空間多重方式を用いない。
無線部２１〜２４はいずれも同等であり、無線部２１はハイパワーアンプ等を含む送信部１１１とローノイズアンプ等を含む受信部１１２とから構成される。
【００２８】
送信部１１１は、信号処理部５０から入力された低周波信号を高周波信号に変換し、送信出力レベルにまで増幅してアンテナ１１に出力するもので、制御部８０からの指示に応じて、ハイパワーアンプのゲインを制御する等して送信出力を調整する機能を有する。
受信部１１２は、アンテナ１１に受信された高周波信号を低周波信号に変換し、増幅して信号処理部５０に出力する機能を有する。
【００２９】
制御部８０は、具体的にはＣＰＵ（Ｃｅｎｔｒａｌ  Ｐｒｏｃｅｓｓｉｎｇ  Ｕｎｉｔ）及びメモリ等で構成され、ＣＰＵがメモリ中のプログラムを実行することにより無線基地局１００の各部を制御する機能を有する。
また、ユニークワード記憶部９０は、空間多重する複数の個別ＵＷ局に割り当てるためのユニークワードパターン情報、及び、各ユニークワードパターンとそれを割り当てた各端末局との関係を示すユニークワード使用状況情報を保持する。なお、これらの情報については後に詳しく説明する。
【００３０】
図２は、信号処理部５０の構成を示すブロック図である。
信号処理部５０は、送受信切替スイッチ５６１〜５６４、加算器５５１〜５５４、ユーザ処理部５１ａ〜５１ｄから構成される。
ここで、ユーザ処理部５１ａ〜５１ｄはそれぞれ、１つのＴＤＭＡ／ＴＤＤフレームについて、タイムスロットごとに、タイムスロットにおいて通信している端末局の信号を最適に送受信するようウェイトベクトルの調整を行うものであり、各無線部からの入力信号Ｘ１〜Ｘ４を受け取り、各無線部への出力信号Ｓａ１〜Ｓａ４を出力する。即ち、ユーザ処理部５１ａ〜５１ｄそれぞれは、空間多重されている１つの端末局からの信号を分離抽出してモデム部６０に伝え、また、モデム部６０から伝えられたその端末局に対する送信信号を元にして生成した信号を各無線部に出力するものである。
【００３１】
送受信切替スイッチ５６１〜５６４は、制御部８０の制御により切り替えられるものである。
また、加算器５５１〜５５４は、ユーザ処理部５１ａ〜５１ｄによって調整された各無線部への出力信号を加算し、無線部２１〜２４へ出力するものである。
図３は、ユーザ処理部５１ａの構成を示すブロック図である。
【００３２】
ユーザ処理部５１ａは、乗算器５２１〜５２４、乗算器５８１〜５８４、加算器５９、送受信切替スイッチ５６、参照信号発生部５５、ウェイト算出部５８、ウェイト記憶部５７から構成される。
ここで、参照信号発生部５５は、ＰＨＳ規格によりユニークワード以外にも固定的に定められているスタートシンボル（ＳＳ）及びプリアンブル（ＰＲ）、並びに、ユニークワードを表す参照信号を発生する。このとき、ユニークワードの部分については、制御部８０から受け取ったユニークワードの値をとるように参照信号を発生する。
【００３３】
ウェイト算出部５８は、上述したＭＭＳＥ方式によりウェイトベクトルを調整する。ウェイト算出部５８は、無線部２１〜２４によって現に受信された受信信号Ｘ１、Ｘ２、Ｘ３、及びＸ４のそれぞれに、対応するウェイトベクトルを乗じて加算することにより得られる受信信号と、参照信号発生部５５から得られた参照信号とを比較しその差が小さくなるように、各ウェイトを調整する。
【００３４】
即ち、ウェイト算出部５８は、受信信号を時間に応じて変化する数列ｘ１（ｔ）、ｘ２（ｔ）、ｘ３（ｔ）、及びｘ４（ｔ）と表し、それぞれに対応するウェイトをｗ１（ｔ）、ｗ２（ｔ）、ｗ３（ｔ）、及びｗ４（ｔ）と表すとき、次の数３により受信信号ｙ（ｔ）を求める。ｔはＰＨＳ規格のタイムスロットにおける１シンボルの受信時間を単位時間とした時刻である。
［数３］  ｙ（ｔ）＝ｗ１（ｔ−１）×ｘ１（ｔ）＋ｗ２（ｔ−１）×ｘ２（ｔ）＋ｗ３（ｔ−１）×ｘ３（ｔ）＋ｗ４（ｔ−１）×ｘ４（ｔ）
受信信号ｙ（ｔ）を求めた後に、受信信号ｙ（ｔ）と参照信号ｄ（ｔ）との差ｅ（ｔ）を最小とするようにｗ（ｔ−１）の値を予め定めた範囲内で変動させることにより調整して、当該調整された値を次の時刻におけるウェイトベクトルｗ（ｔ）とする。なお、ｅ（ｔ）は次の数４により算出する。
［数４］  ｅ（ｔ）＝ｄ（ｔ）−ｙ（ｔ）
ウェイト記憶部５７は、受信時にウェイト算出部５８が算出した無線部毎のウェイトを記憶し、乗算器５８１〜５８４は、モデム部から与えられる送信信号に、記憶されているそれぞれのウェイトを乗じて出力する。
＜データ構造＞
以下、ユニークワード記憶部９０に保持されているユニークワードパターン情報、及びユニークワード使用情報について説明する。
【００３５】
図４は、ユニークワードパターン情報の一例を示す図である。ユニークワードパターン情報２００は、ＵＷ番号２０１とＵＷパターン値２０２とを対応付けて含み、最大空間多重数（ここでは４つ）のＵＷパターン値Ｐ１〜Ｐ４と、当該ＵＷパターン値を識別するＵＷ番号１〜４を含む。Ｐ１〜Ｐ４は、具体的には２進数で「００１１１１０１０１００１１００」等と表される１６ビット値であり、互いに異なり、特にＰ４はＰＨＳ規格で定められた共通のユニークワード値である。
【００３６】
ＵＷ番号２０１は、ＵＷパターン値を選択する際の順位をも表しており、１が最高順位、４が最低順位を表している。
図５は、ユニークワード使用情報の一例を示す図である。ユニークワード使用状況情報３００は、周波数番号３０１と、スロット番号３０２と、空間多重される端末局の最大個数分のＵＷ通知状況値３０３とを対応付けて含む。
【００３７】
周波数番号３０１は、搬送波の周波数を識別する番号であり、スロット番号３０２は、タイムスロットを識別する番号であり、両者の組み合わせによって通信チャネルが特定される。ＵＷ通知状況値３０３は、当該周波数の搬送波を用いて当該タイムスロットに設けられる通信チャネルにおいて、通信中の個別ＵＷ端末局に通知したＵＷ番号か、又はどの端末局とも通信を行っていない状態を表す値「空」を示す。なお、共通ＵＷ局と通信中である場合にも「４」に設定される。
【００３８】
なお、空間多重方式を用いずに通信が行われる特定周波数の特定スロットに対応するＵＷ通知状況値は記録されないものとする。同図の例では、周波数１の搬送波を用いたタイムスロット１を、空間多重によらない通信のみが行われる制御チャネルとし、ＵＷ通知状況値は記録されないものとしている。
＜動作＞
以下、上述の構成を備える無線基地局１００の動作について、本発明の特徴である、リンクチャネル選択処理、及び、各個別ＵＷ局に対するユニークワードの選択及び通知処理について詳細に説明する。
＜ユニークワード通知処理の詳細＞
図６は、通話やデータ通信を開始するために端末局からリンクチャネル確立要求を受けた場合の無線基地局１００の動作を示すフローチャートである。なお、この動作は制御部８０の制御下で実行される。
【００３９】
制御部８０は、制御チャネルを介して、端末局からリンクチャネル確立要求を受信するか（ステップＳ０１）、又はリンクチャネル確立再要求を受信すると（ステップＳ０２）、その端末局が共通ＵＷ局か個別ＵＷ局かを判断する（ステップＳ０３）。
この判断を行う方法の一具体例として、個別ＵＷ局は、リンクチャネル確立要求メッセージ、及びリンクチャネル確立再要求メッセージ中の特定のフィールドに、共通ＵＷ局が設定する値とは異なる特定の値を含めて送信することとし、その値に基づいて、当該端末局が個別ＵＷ局であることを判断すればよい。
【００４０】
制御部８０は、その端末局との通信に利用すべきリンクチャネルを選択する（ステップＳ０４）。一つのリンクチャネルは、搬送波の周波数とタイムスロットとの組により特定される通信チャネルであって、空間多重方式による１組の多重通信を行う単位となる。この処理の詳細については後述する。
リンクチャネルが選択されなかった場合（ステップＳ０５：ｎｏ）、リンクチャネル割り当て拒否通知をその端末局に送信するよう制御する（ステップＳ１２）。
【００４１】
リンクチャネルが選択された場合（ステップＳ０５：ｙｅｓ）、その端末局が個別ＵＷ局と判断されたか否かに応じて次の処理を行う。
個別ＵＷ局であれば（ステップＳ０６：ｙｅｓ）、ユニークワード使用情報から、当該通信チャネルに対応するＵＷ通知状況値を参照して、当該通信チャネルにおいて使用されていない最高順位の（即ち最小の）ＵＷ番号を選択するとともに、当該選択したＵＷ番号が当該通信チャネルにおけるＵＷ通知状況値として示されるように、ユニークワード使用情報を更新する（ステップＳ０７）。
【００４２】
この選択方法によれば、ユニークワードパターン情報には最大空間多重数のＵＷパターン値が記憶されていて、最低順位のＵＷパターン値を除いて何れも共通ＵＷパターン値と異なっているから、個別ＵＷ局に対して共通ＵＷが指定されるのは、空間多重される端末局が全て個別ＵＷ局である場合であって、その最後に通信を開始した個別ＵＷ局に限られる。即ち、共通ＵＷ局が通信している場合には、個別ＵＷ局に共通ＵＷが指定されることがない。
【００４３】
当該選択したユニークワード、並びに通信チャネルを特定する周波数及びタイムスロットをそれぞれ示す情報を含んだリンクチャネル割り当て通知をその端末局に送信し（ステップＳ０８）、その端末局に対応する処理を行うことと定めたユーザ処理部の参照信号発生部に対して端末局に通知したユニークワードを渡す（ステップＳ０９）。これにより、当該ユーザ処理部における参照信号発生部５５は、そのユニークワードの値を含み、その端末局から送信されることが予定される信号を参照信号として発生することになる。また、当該ユーザ処理部は、端末局に対する送信データにそのユニークワードを含めて送信する。
【００４４】
共通ＵＷ局であれば（ステップＳ０６：ｎｏ）、通信チャネルを特定する周波数及びタイムスロットをそれぞれ示す情報を含んだリンクチャネル割り当て通知をその端末局に送信し、最低順位のＵＷ番号が当該通信チャネルにおけるＵＷ通知状況値として示されるように、ユニークワード使用情報を更新する（ステップＳ１０）。その端末局に対応する処理を行うことと定めたユーザ処理部の参照信号発生部に対して共通ユニークワードを渡す（ステップＳ１１）。
＜リンクチャネル選択処理の詳細＞
図７は、前記ユニークワード選択及び通知処理の一部分として、新規端末局との通信に使用するリンクチャネルを選択する場合の無線基地局１００の動作を示すフローチャートである。この動作は制御部８０の制御下で実行される。
【００４５】
制御部８０は、新規端末局との通信に使用するリンクチャネルの候補として、通信中の端末局数が最大空間多重数未満であって、かつ最小の通信チャネルを、ユニークワード使用状況情報３００から、各周波数の搬送波の各タイムスロットに対応するＵＷ通知状況値３０３を検索することにより見出す（ステップＳ２１）。そして、見つかった通信チャネルの個数に応じて次の処理を行う。
【００４６】
１個の通信チャネルが見つかった場合（ステップＳ２２：１個）、その通信チャネルをリンクチャネルとして選択する。
複数個の通信チャネルが見つかった場合（ステップＳ２２：複数個）、新規端末局が個別ＵＷ局なら（ステップＳ２４：ｙｅｓ）、通信中の共通ＵＷ局数が最大の通信チャネルをリンクチャネルとして選択し（ステップＳ２５）、共通ＵＷ局なら（ステップＳ２４：ｎｏ）、通信中の共通ＵＷ局数が最小の通信チャネルをリンクチャネルとして選択する（ステップＳ２６）。
【００４７】
該当する通信チャネルが見つからなかった場合（ステップＳ２２：なし）、リンクチャネルを選択することなく、ユニークワード通知処理へ戻る。
ここで、制御部８０は、通信中の端末局数が最大空間多重数未満で、かつ最小数の通信チャネルを、新規端末局との通信に使用するリンクチャネルの候補として検索するとしたが、雑音レベルが所定しきい値を上回る雑音レベルが検出された通信チャネルを、当該候補から除外してもよい。また、新規端末局と、既に通信中の端末局との受信レベル差が所定しきい値を上回るような通信チャネルを、当該候補から除外してもよい。この場合には、アダプティブアレイ装置の指向性によって生じる利得差をもってしても、両者の信号を正しく分離できないからである。
＜リンクチャネル確立シーケンスとの関係＞
図８は、端末局と無線基地局との間のリンクチャネル確立シーケンスの概略を示す図である。同図を参照しながら、当該シーケンスにおいて前述した各処理が行われるタイミングを説明する。
【００４８】
同図に示すように、端末局からリンクチャネル確立要求を受けた場合（Ｓ１０１）、無線基地局は、図６に示す動作を行い、ステップＳ０３の実行により新規端末局が個別ＵＷ局か共通ＵＷ局かを判断し、ステップＳ０４から図７に示した処理を呼び出して実行し、割り当てるべき通信チャネルを選択する。
個別ＵＷ局と判断された場合、ステップＳ０７及びＳ０８の実行により、使用すべきユニークワードを選択し、当該端末局に、当該ユニークワード、並びに、通信チャネルを特定するための搬送波周波数、及びタイムスロットの指示を含むリンクチャネル割り当て通知を送信する（Ｓ１０２）。また、当該通知を行った以降、割り当てた通信チャネルでの通信において、端末局に対する送信データにそのユニークワードを含めて送信する。
【００４９】
共通ＵＷ局と判断された場合、ステップＳ１０及びＳ１１の実行により、当該端末局に、通信チャネルを特定するための搬送波周波数、及びタイムスロットの指示を含むリンクチャネル割り当て通知を送信する（Ｓ１０２）。
なお、個別ＵＷ局は、上述したように、従来のＰＨＳ規格に従った共通ＵＷ局の構成に加えて、無線基地局からユニークワードの通知を受けた場合にそのユニークワードの値をＰＨＳ規格に規定されたユニークワードの代わりに使用して無線基地局との間で通信データを送受信する機能を備えた端末局である。
＜通信チャネル、及びユニークワード選択動作の具体例＞
具体例として、ユニークワード使用情報が図５に示した状態で、新規端末局からリンクチャネル確立要求等を受け付けた場合の、通信チャネル及びユニークワードの選択動作を説明する。
【００５０】
ここで、新規端末局との通信に使用するリンクチャネルの候補となる、通信中の端末局数が最大空間多重数未満で、かつ最小数の通信チャネルは、周波数１のスロット４、及び周波数２のスロット１である。
リンクチャネル確立要求等を受け付けた端末局が共通ＵＷ局であれば、そのうちで通信中の共通ＵＷ局数が０の、周波数１のスロット４がリンクチャネルとして選択され、当該周波数番号と当該スロット番号とがリンクチャネル割り当て通知により制御チャネルを介して当該共通ＵＷ局に指示され、当該共通ＵＷ局は当該指示されたリンクチャネルにおいて通信を開始する。
【００５１】
リンクチャネル確立要求等を受け付けた端末局が個別ＵＷ局であれば、そのうちで通信中の共通ＵＷ局数が１の、周波数２のスロット１がリンクチャネルとして選択され、さらに当該リンクチャネルで使用されていない最小のＵＷ番号２が選択され、当該周波数番号、当該スロット番号、及び当該ＵＷ番号がリンクチャネル割り当て通知により制御チャネルを介して当該個別ＵＷ局に指示され、当該個別ＵＷ局は、当該指示されたリンクチャネルにおいて、当該ＵＷ番号で示されるユニークワードを用いて通信を開始する。
＜まとめ＞
このように、無線基地局１００は、通信を開始した端末局が共通ＵＷ局である場合には、当該共通ＵＷ局との通信に利用すべき通信チャネルの候補から、共通ＵＷを使用して既に通信中の端末局がないか又は最も少ないチャネルを選択するので、共通ＵＷを使用する他の端末局との間で受信信号を取り違える問題が、可能な限り低減される。
【００５２】
また、通信を開始した端末局が個別ＵＷ局である場合には、当該個別ＵＷ局との通信に利用すべき通信チャネルの候補から、共通ＵＷを使用して既に通信中の端末局数が最も多いチャネルを選択するので、その後に通信を開始する共通ＵＷ局に対して通信品質の面で有利なチャネルを、可能な限り残しておくことができる。このようにしても、当該個別ＵＷ局には、他の端末局と異なるＵＷが通知されるから、受信信号を取り違える問題は生じない。
【００５３】
また、当該個別ＵＷ局には、当該通信チャネルにおいて未使用で最高順位のＵＷが通知されるので、共通ＵＷ局が既に通信中である場合には、前述したように、共通ユニークワードが個別ＵＷ局に通知されることがない。従って、個別ＵＷ局と共通ＵＷ局との間で受信信号を取り違える問題が解消される。
＜その他の変形例＞
なお、本発明を上記の実施の形態に基づいて説明してきたが、本発明は、上記の実施の形態に限定されないのはもちろんである。以下のような場合も本発明に含まれる。
（１）本発明は、実施の形態で説明したステップを含む方法であるとしてもよい。また、これらの方法を、コンピュータシステムを用いて実現するためのコンピュータプログラムであるとしてもよいし、前記プログラムを表すデジタル信号であるとしてもよい。
【００５４】
また、本発明は、前記プログラム又は前記デジタル信号を記録したコンピュータ読取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、半導体メモリ等であるとしてもよい。
また、本発明は、電気通信回線、無線又は有線通信回線、若しくはインターネットに代表されるネットワーク等を経由して伝送される前記コンピュータプログラム又は前記デジタル信号であるとしてもよい。
【００５５】
また、本発明は、マイクロプロセッサ及びメモリを備えたコンピュータシステムであり、前記メモリは前記プログラムを記憶しており、前記マイクロプロセッサは前記メモリに記憶されている前記プログラムに従って動作することにより、前記方法を実現するとしてもよい。
また、前記プログラム又は前記デジタル信号は、前記記録媒体に記録されて移送され、若しくは、前記ネットワーク等を経由して移送され、独立した他のコンピュータシステムにおいて実施されるとしてもよい。
（２）本実施の形態では、ＰＨＳシステムにおける無線基地局及び端末局を例に取って説明したが、空間多重方式を用いて通信を行う通信システムであって、端末局が個々に送信する符号を用いて端末局毎にアンテナ指向性を制御する通信システムであれば、一般的に本発明を適用することができる。
（３）本実施の形態では、無線基地局がユニークワードを指定するＵＷ番号を端末局に通知することとしたが、通知する情報は、ＵＷ番号に限定されることはなく、ユニークワードを指定するために必要な情報であれば、例えばユニークワードを構成するビットパターンそのものであってもよい。
（４）本実施の形態では特に示さなかったが、無線基地局は、端末局との通信を終了した場合に、当該端末局に対応するＵＷ通知状況値が「空」となるように、ユニークワード使用情報を更新する。
【００５６】
【発明の効果】
本発明の無線基地局は、端末局からの受信信号に含まれる符号を用いて、当該端末局との間で空間多重方式で通信する無線基地局であって、当該空間多重方式における最大多重数の相異なる符号と、当該符号の順位を示す番号と、当該符号が現に通信に使用されているか否かを示す情報とを対応付けて記憶している符号記憶手段と、新規端末局が通信を開始した際に、当該新規端末局が、共通符号を含む信号を送信する第１種端末局であるか、当該無線基地局から通知された符号を含む信号を送信する第２種端末局であるかを判断する端末種別判断手段と、当該新規端末局が第２種端末局であると判断された場合、前記情報により現に通信に使用されていないと示された最高順位の符号を、前記新規端末局に通知する符号通知手段とを備え、当該符号記憶手段に記憶されている符号は、最低順位の符号を除いて何れも前記共通符号と異なっていることを特徴とする。
【００５７】
この構成によれば、前記無線基地局は、第２種端末局と新たに通信を開始した際に、第１種端末局が通信中であれば、当該第２種端末局に既定の共通符号を通知することがない。これにより、前記無線基地局は、第１種端末局と第２種端末局とを混在して空間多重方式を用いて通信する場合に、両者の間で受信信号を取り違える問題を解消する。
【００５８】
また、前記無線基地局は、時分割多重方式を併用し、個々のタイムスロットにおいて、端末局との間で前記空間多重方式で通信し、さらに、前記新規端末局との通信に利用すべきタイムスロットの候補から、そのタイムスロットにおいて前記共通符号を含む信号を送信している端末局の数が最も少ないタイムスロットを選択するタイムスロット選択手段と、前記新規端末局が第１種端末局であると判断された場合、当該選択されたタイムスロットにおいて通信すべき旨を前記新規端末局に通知するタイムスロット通知手段とを備えてもよい。
【００５９】
この構成によれば、前記無線基地局は、第１種端末局と新たに通信を開始した際に、利用候補となるタイムスロットのうち、共通符号を使用して既に通信中の端末局がないか又は最も少ないタイムスロットを当該第１種端末局に通知し、当該タイムスロットにおいて通信を行う。これにより、前記無線基地局は、当該第１種端末局と、当該共通符号を使用する他の端末局との間で受信信号を取り違える問題を可能な限り低減する。
【００６０】
また、前記無線基地局は、時分割多重方式を併用し、個々のタイムスロットにおいて、端末局との間で前記空間多重方式で通信し、さらに、前記新規端末局との通信に利用すべきタイムスロットの候補から、そのタイムスロットにおいて前記共通符号を含む信号を送信している端末局の数が最も多いタイムスロットを選択するタイムスロット選択手段と、前記新規端末局が第２種端末局であると判断された場合、当該選択されたタイムスロットにおいて通信すべき旨を前記新規端末局に通知するタイムスロット通知手段とを備え、前記符号記憶手段は、前記最大多重数の相異なる符号と、当該符号の順位を示す番号と、当該符号が個々のタイムスロットにおける通信に現に使用されているか否かを示す情報とを対応付けて記憶しており、前記符号通知手段は、前記新規端末局が第２種端末局であると判断された場合、前記情報により、前記通知したタイムスロットにおいて現に通信に使用されていないと示された最高順位の符号を、前記新規端末局に通知してもよい。
【００６１】
この構成によれば、前記無線基地局は、第２種端末局と新たに通信を開始した際に、利用候補となるタイムスロットのうち、共通符号を使用して既に通信中の端末局数が最も多いタイムスロットを当該第２種端末局に通知し、当該タイムスロットにおいて通信を行う。これにより、前記無線基地局は、その後に通信を開始する第１種端末局に対して通信品質の面で有利なタイムスロットを、可能な限り残しておくことができる。このようにしても、当該第２種端末局には、他の端末局と異なる符号が通知されるから、受信信号を取り違える問題は生じない。
【００６２】
また、前記無線基地局は、複数の搬送波を使用し、当該個々の搬送波によって、端末局との間で前記空間多重方式で通信し、さらに、前記新規端末局との通信に利用すべき搬送波の候補から、その搬送波を用いて前記共通符号を含む信号を送信している端末局の数が最も少ない搬送波を選択する搬送波選択手段と、前記新規端末局が第１種端末局であると判断された場合、当該選択された搬送波を用いて通信すべき旨を前記新規端末局に通知する搬送波通知手段とを備えてもよい。
【００６３】
この構成によれば、前記無線基地局は、第１種端末局と新たに通信を開始した際には、利用候補となる搬送波うち、共通符号を使用して既に通信中の端末局がないか又は最小数の搬送波を当該第１種端末局に通知し、当該搬送波を用いて通信を行う。これにより、前記無線基地局は、当該第１種端末局と、共通符号を使用する他の端末局との間で受信信号を取り違える問題を可能な限り低減する。
【００６４】
また、前記無線基地局は、複数の搬送波を使用し、当該個々の搬送波によって、端末局との間で前記空間多重方式で通信し、さらに、前記新規端末局との通信に利用すべき搬送波の候補から、その搬送波によって前記共通符号を含む信号を送信している端末局の数が最も多い搬送波を選択する搬送波選択手段と、前記新規端末局が第２種端末局であると判断された場合、当該識別された搬送波を用いて通信すべき旨を前記新規端末局に通知する搬送波選択手段とを備え、前記符号記憶手段は、前記最大多重数の相異なる符号と、当該符号の順位を示す番号と、当該符号が個々の搬送波による通信に現に使用されているか否かを示す情報とを対応付けて記憶しており、前記符号通知手段は、前記新規端末局が第２種端末局であると判断された場合、前記情報により、前記通知した搬送波による通信に現に使用されていないと示された最高順位の符号を、前記新規端末局に通知してもよい。
【００６５】
この構成によれば、前記無線基地局は、第２種端末局と新たに通信を開始した際に、利用候補となる搬送波のうち、共通符号を使用して既に通信中の端末局数が最も多い搬送波を当該第２種端末局に通知し、当該搬送波を用いて通信を行う。これにより、前記無線基地局は、その後に通信を開始する第１種端末局に対して通信品質の面で有利な搬送波を、可能な限り残しておくことができる。このようにしても、当該第２種端末局には、他の端末局と異なる符号が通知されるから、受信信号を取り違える問題は生じない。
【００６６】
本発明の通信方法は、端末局からの受信信号に含まれる符号を用いて、当該端末局との間で空間多重方式で通信する無線基地局における通信方法であって、当該無線基地局は、当該空間多重方式における最大多重数の相異なる符号と、当該符号の順位を示す番号と、当該符号が現に通信に使用されているか否かを示す情報とを対応付けて記憶していて、当該記憶されている符号は、最低順位の符号を除いて何れも所定の共通符号と異なっており、新規端末局が通信を開始した際に、当該新規端末局が、前記共通符号を含む信号を送信する第１種端末局であるか、当該無線基地局から通知された符号を含む信号を送信する第２種端末局であるかを判断する端末種別判断ステップと、当該新規端末局が第２種端末局であると判断された場合、前記情報により現に通信に使用されていないと示された最高順位の符号を、前記新規端末局に通知する符号通知ステップとを含む。
【００６７】
この通信方法を実施する無線基地局は、第２種端末局と新たに通信を開始した際に、第１種端末局が通信中であれば、当該第２種端末局に既定の共通符号を通知することがない。これにより、当該無線基地局は、第１種端末局と第２種端末局とを混在して空間多重方式を用いて通信する場合に、両者の間で受信信号を取り違える問題を解消する。
【００６８】
本発明のプログラムは、端末局からの受信信号に含まれる符号を用いて、当該端末局との間で空間多重方式で通信する無線基地局を、コンピュータを用いて制御するためのコンピュータ実行可能なプログラムであって、当該無線基地局は、当該空間多重方式における最大多重数の相異なる符号と、当該符号の順位を示す番号と、当該符号が現に通信に使用されているか否かを示す情報とを対応付けて記憶していて、当該記憶されている符号は、最低順位の符号を除いて何れも所定の共通符号と異なっており、新規端末局が通信を開始した際に、当該新規端末局が、当該共通符号を含む信号を送信する第１種端末局であるか、当該無線基地局から通知された符号を含む信号を送信する第２種端末局であるかを判断する端末種別判断ステップと、当該新規端末局が第２種端末局であると判断された場合、前記情報により現に通信に使用されていないと示された最高順位の符号を、前記新規端末局に通知する符号通知ステップとを当該コンピュータに実行させる。
【００６９】
このプログラムを用いて制御される無線基地局は、第２種端末局と新たに通信を開始した際に、第１種端末局が通信中であれば、当該第２種端末局に既定の共通符号を通知することがない。これにより、当該無線基地局は、第１種端末局と第２種端末局とを混在して空間多重方式を用いて通信する場合に、両者の間で受信信号を取り違える問題を解消する。
【図面の簡単な説明】
【図１】実施の形態における無線基地局の全体構成を示すブロック図である。
【図２】信号処理部５０の構成を示すブロック図である。
【図３】ユーザ処理部５１ａの構成を示すブロック図である。
【図４】ユニークワードパターン情報の一例である。
【図５】ユニークワード使用情報の一例である
【図６】無線基地局が実行するユニークワード通知処理を示すフローチャートである。
【図７】無線基地局が実行するリンクチャネル選択処理を示すフローチャートである。
【図８】端末局と無線基地局との間のリンクチャネル確立シーケンスである
【図９】アダプティブアレイ装置のＭＭＳＥ方式を用いた制御内容を示す概念図である。
【符号の説明】
１１〜１４  アンテナ
２１〜２４  無線部
５０    信号処理部
５１ａ〜５１ｄ  ユーザ処理部
５５    参照信号発生部
５６    送受信切替スイッチ
５７    ウェイト記憶部
５８    ウェイト算出部
５９    加算器
６０    モデム部
７０    ベースバンド部
８０    制御部
９０    ユニークワード記憶部
１００    無線基地局
１１１    送信部
１１２    受信部
５２１〜５２４  乗算器
５５１〜５５４  加算器
５６１〜５６４  送受信切替スイッチ
５８１〜５８４  乗算器
【図１】
0003863792.tif 000002
【図２】
0003863792.tif 000003
【図３】
0003863792.tif 000004
【図４】
0003863792.tif 000005
【図５】
0003863792.tif 000006
【図６】
0003863792.tif 000007
【図７】
0003863792.tif 000008
【図８】
0003863792.tif 000009
【図９】
0003863792.tif 000010